(57)【特許請求の範囲】
【請求項１】
光カプラを介して各光加入者回線端末装置と接続され、速度の異なる信号からなる複数の下り信号系列と前記速度の異なる信号が混在する上り信号系列とを、各系列毎にそれぞれ異なる光波長の光信号を用いて送受信する局回線終端装置であって、
下り信号経路及び上り信号経路がそれぞれ２重化され、前記下り信号系列を受け入れて、前記速度の異なる信号毎にそれぞれ第１の下り信号経路及び第２の下り信号経路に分配して出力する信号分配部と、
前記速度の異なる信号毎に前記第１の下り信号経路及び第２の下り信号経路の出力の何れか一方を選択して出力する下り経路切替部と、
前記上り信号系列を受け入れて、第１の上り信号経路及び第２の上り信号経路の何れか一方に出力する上り経路切替部と、
前記第１の上り信号経路及び第２の上り信号経路の出力の何れか一方を選択して出力する上り経路選択部と、
前記局回線終端装置内部の装置状態を監視し、監視結果に基づいて前記下り経路切替部、前記上り経路切替部、及び前記上り経路選択部の経路切替えを行う装置内監視制御部とを備えることを特徴とする局回線終端装置。
【請求項２】
多重光ポートを相互に接続する一対の光多重分離部を更に備え、
前記一対の光多重分離部の一方の分岐光ポートは、前記第１の下り信号経路の前記下り信号系列が入力されると共に前記第１の上り信号経路の前記上り信号系列が出力され、前記一対の光多重分離部の他方の分岐光ポートは、前記下り経路切替部に対して前記第１の下り信号経路の前記下り信号系列が出力されると共に前記上り経路切替部から前記第１の上り信号経路の前記上り信号系列が入力されることを特徴とする請求項１に記載の局回線終端装置。
【発明の詳細な説明】
【技術分野】
【０００１】
本発明は、速度の異なるデータ系列を送受信するポイントｔｏマルチポイント光通信システムの局回線終端装置に関し、特に、システム運用中における回線事故の復旧時間短縮化を図ることが可能な局回線終端装置に関する。
【背景技術】
【０００２】
近年インターネットユーザの拡大普及が進んでいる。それに伴い、ブロードバンドネットワークの主力はＡＤＳＬからＦＴＴＨ（Ｆｉｂｅｒ Ｔｏ Ｔｈｅ Ｈｏｍｅ）へと移行している（特許文献１〜特許文献３参照）。かかる状況に対応してポイントｔｏマルチポイント光通信システムの敷設が拡大している。このシステムでは、局回線終端装置ＯＬＴ（Ｏｐｔｉｃａｌ Ｌｉｎｅ Ｔｅｒｍｉｎａｌ）を中心としてＮ個の光加入者回線端末装置ＯＮＵ（Ｏｐｔｉｃａｌ Ｎｅｔｗｏｒｋ Ｕｎｉｔ）が配設される。
【０００３】
通常、このシステムでは、現用部と予備部とを備える光信号系統の２重化構造が採用されている。システム運用中における回線事故の復旧時間短縮化を図るためである。更に、回線事故の復旧時には、サービスを中断することなく光信号系統を無瞬断で切り替えることが求められる。この目的を達成するための各種技術開発が急速に進んでいる（特許文献１〜特許文献３参照）。
【０００４】
一方、ポイントｔｏマルチポイント光通信システムの伝送技術の技術開発も急速に進んでおり、速度の異なる信号が混在するＧＥ−ＰＯＮシステム等も開示されている（非特許文献１参照）。以下に、この技術の概要について説明する。
【０００５】
図６は、速度の異なる信号が混在するＧＥ−ＰＯＮシステムのシステム構成図である。
図に示すように、速度の異なる信号が混在するＧＥ−ＰＯＮシステムは、局回線終端装置ＯＬＴ＃１が、１対Ｎ分岐の光分岐カプラ１５０を介して光加入者回線端末装置ＯＮＵ（＃１〜＃Ｎ）と接続され、ネットワーク（例えばイーサネット（登録商標））と加入者端末装置（＃１〜＃Ｎ）とが時分割多重方式でデータの送受信を行っている。
【０００６】
局回線終端装置ＯＬＴ＃１は、ネットワークから１Ｇｂｐｓ、及び１０Ｇｂｐｓの電気信号を受け入れて光信号に変換して多重化し、光ファイバ＃０を介して光分岐カプラ１５０へ送出する。また、光分岐カプラ１５０から１Ｇｂｐｓ＋１０Ｇｂｐｓの光信号を受け入れて電気信号に変換し、１Ｇｂｐｓの電気信号と、１０Ｇｂｐｓの電気信号とに分離してネットワークへ送出する。
【０００７】
更に、局回線終端装置ＯＬＴ＃１は、システム運用中に、図中Ａで故障が発生した場合には、部内の警報監視及び制御部２８又は１８が該故障発生を検出し、装置内警報監視及び制御部３０へ故障発生通知を通知する。装置内警報監視及び制御部３０は、故障発生通知を受け入れると、現用予備切換信号Ｓ１を光スイッチ４５へ送出する。光スイッチ４５は現用予備切換信号Ｓ１を受け入れると接続を１−３から２−３へ切替えることで光路を現用部１０から予備部２０へ切替えて故障を回復させる。
【０００８】
光加入者回線端末装置ＯＮＵ（＃１〜＃Ｎ）は、対応する加入者端末装置＃１〜＃Ｎから受け入れた１Ｇｂｐｓ又は１０Ｇｂｐｓの電気信号に対して所定の送信処理を実行し、１Ｇｂｐｓ又は１０Ｇｂｐｓの光信号に変換して光分岐カプラ１５０へ送出する。また、光分岐カプラ１５０から受け入れた１Ｇｂｐｓ、または１０Ｇｂｐｓの光信号を電気信号に変換し、所定の受信処理を実行し、対応する加入者端末装置＃１〜＃Ｎへ１Ｇｂｐｓ又は１０Ｇｂｐｓの電気信号として送出する。
【先行技術文献】
【特許文献】
【０００９】
【特許文献１】特開２００５−３２８２９４号公報
【特許文献２】特開２００４−１７９７２３号公報
【特許文献３】特開２００１−３４５７８６号公報
【非特許文献】
【００１０】
【非特許文献１】沖テクニカルレビュー第１９７号Ｖｏｌ．７１Ｎｏ１．ｐ８４〜ｐ８７
【発明の概要】
【発明が解決しようとする課題】
【００１１】
図中Ａにおける故障発生の場合には、１Ｇｂｐｓ系に於いて故障が発生しているが１０Ｇｂｐｓ系に於いては故障が発生していない。しかし上記システムでは１Ｇｂｐｓ系を現用部１０から予備部２０へ切替えるときに、故障が発生していない１０Ｇｂｐｓ系でも信号が瞬断してしまうという解決すべき課題が残されていた。尚、特許文献１から特許文献３では、速度の異なる信号が混在するＧＥ−ＰＯＮシステムを対象としていないので、この問題の解決に関しては何らの示唆をも提示していない。
【課題を解決するための手段】
【００１２】
本発明は、光カプラを介して各光加入者回線端末装置と接続され、速度の異なる信号からなる複数の下り信号系列と速度の異なる信号が混在する上り信号系列とを、各系列毎にそれぞれ異なる光波長の光信号を用いて送受信する局回線終端装置であって、下り信号経路及び上り信号経路がそれぞれ２重化され、下り信号系列を受け入れて、速度の異なる信号毎にそれぞれ第１の下り信号経路及び第２の下り信号経路に分配して出力する信号分配部と、速度の異なる信号毎に第１の下り信号経路及び第２の下り信号経路の出力の何れか一方を選択して出力する下り経路切替部と、上り信号系列を受け入れて、第１の上り信号経路及び第２の上り信号経路の何れか一方に出力する上り経路切替部と、第１の上り信号経路及び第２の上り信号経路の出力の何れか一方を選択して出力する上り経路選択部と、局回線終端装置内部の装置状態を監視し、監視結果に基づいて下り経路切替部、上り経路切替部、及び上り経路選択部の経路切替えを行う装置内監視制御部とを備えることを主要な特徴とする。
【発明の効果】
【００１３】
信号系列毎に信号経路の切替手段（下り経路切替部、上り経路切替部、上り経路選択部）を備え、更に装置内監視制御部が上記局回線終端装置内部の装置状態を監視し、監視結果に基づいて故障が発生した信号経路のみ上記切替手段の経路切替えを行うので、二重化された信号経路の切替えに於いて、故障が発生した信号経路以外への悪影響を回避しつつ信号切替が出来るという効果を得る。
【図面の簡単な説明】
【００１４】
【図１】実施例１のＧＥ−ＰＯＮシステムのシステム構成図である。
【図２】実施例１のＧＥ−ＰＯＮシステムの動作説明図（その１）である。
【図３】実施例１のＧＥ−ＰＯＮシステムの動作説明図（その２）である。
【図４】実施例１のＧＥ−ＰＯＮシステムの動作説明図（その３）である。
【図５】実施例２のＧＥ−ＰＯＮシステムのシステム構成図である。
【図６】速度の異なる信号が混在するＧＥ−ＰＯＮシステムのシステム構成図である。
【発明を実施するための形態】
【００１５】
以下、本発明の一実施形態を図を用いて詳細に説明する。
【実施例１】
【００１６】
（構成）の説明
図１は、実施例１のＧＥ−ＰＯＮシステムのシステム構成図である。
図に示すように、実施例１によるＧＥ−ＰＯＮシステムは、図示しないＯＬＴ設置局の内部に配設される局回線終端装置ＯＬＴ＃１００が、１対Ｎ分岐の光分岐カプラ１５０の集約ポートに光ファイバ＃０を介して接続され、光分岐カプラ１５０の分岐ポートと光加入者回線端末装置ＯＮＵ（＃１〜＃Ｎ）とが、光ファイバ（＃１〜＃Ｎ）を介して接続され、ネットワーク（例えばイーサネット（登録商標））と加入者端末装置＃１〜＃Ｎとが時分割多重方式でデータの送受信を行う光通信システムである。
【００１７】
ここでＧＥ−ＰＯＮシステムとは、ＩＥＥＥ８０２．３ａｖにて現在標準化中である最新のＰＯＮシステムであり、Ｇｂｐｓ単位の双方向通信可能な、イーサネット（登録商標）対応のＰａｓｓｉｖｅ Ｏｐｔｉｃａｌ Ｎｅｔｗｏｒｋである。実施例１では、図に示すように１Ｇ−ＥＰＯＮと１０Ｇ−ＥＰＯＮとが混在している。
【００１８】
局回線終端装置ＯＬＴ＃１００は、その内部に現用部１０と、予備部２０と、装置内警報監視及び制御部３０と、分配選択部３１と、光路切替部４１とを備え、図示しないネットワーク及び光ファイバ＃０と接続し、ネットワークから１Ｇｂｐｓ、及び１０Ｇｂｐｓの電気信号を受け入れて光信号に変換して多重化し、光ファイバ＃０を介して光分岐カプラ１５０へ送出すると共に、光ファイバ＃０を介して光分岐カプラ１５０から１Ｇｂｐｓ＋１０Ｇｂｐｓの光信号を受け入れて電気信号に変換し、１Ｇｂｐｓの電気信号と、１０Ｇｂｐｓの電気信号とに分離してネットワークへ送出する機器である。又、回線故障が検出されると、該当する故障箇所を探索し、回線故障時に現用回線を予備回線に切替えて応急処置を実行する機器でもある。以下に、上記各構成部分について詳細に説明する。
【００１９】
現用部１０は、その内部に、１Ｇ送信処理部１１と、１Ｇ電気／光変換部１２と、１０Ｇ送信処理部１３と、１０Ｇ電気／光変換部１４とを有し、図示しないネットワークから分配選択部３１を介して受け入れた１Ｇｂｐｓ、及び１０Ｇｂｐｓの電気信号を受け入れて光信号に変換し、光路切替部４１、光分岐カプラ１５０を介して光加入者回線端末装置ＯＮＵ（＃１〜＃Ｎ）へ下り信号を送信する現用系の信号処理ブロックである。
【００２０】
１Ｇ送信処理部１１は、図示しないネットワークから分配選択部３１を介して受け入れた１Ｇｂｐｓの電気信号フレームに所定の識別子を付与し、所定の送信処理を実行して１Ｇ電気／光変換部１２へ送出する部分である。ここで、識別子には、フレームの宛先となるＬＬＩＤ値等が含まれている。
【００２１】
１Ｇ電気／光変換部１２は、１Ｇ送信処理部１１から１Ｇｂｐｓの電気信号フレームを受け入れて光信号に変換し、光ＳＥＬ１・４２へ送出する光電変換素子である。通常レーザダイオード又はＬＥＤ等が用いられる。
【００２２】
１０Ｇ送信処理部１３は、図示しないネットワークから分配選択部３１を介して受け入れた１０Ｇｂｐｓの電気信号フレームに所定の識別子を付与し、所定の送信処理を実行して１０Ｇ電気／光変換部１４へ送出する部分である。ここで、識別子には、フレームの宛先となるＬＬＩＤ値等が含まれている。
【００２３】
１０Ｇ電気／光変換部１４は、１０Ｇ送信処理部１３から１０Ｇｂｐｓの電気信号フレームを受け入れて光信号に変換し、光ＳＥＬ２・４３へ送出する光電変換素子である。通常レーザダイオード又はＬＥＤ等が用いられる。
【００２４】
また、現用部１０は、その内部に、１Ｇ受信処理部１５と、１０Ｇ受信処理部１６と、Ｄｕａｌ Ｒａｔｅ光／電気変換部１７とを有し、光加入者回線端末装置ＯＮＵ（＃１〜＃Ｎ）から光分岐カプラ１５０、及び光路切替部４１を介して受け入れた上り光信号を電気信号へ変換し、所定の受信処理を実行して分配選択部３１を介して図示しないネットワークへ送出する現用系の信号処理ブロックである。
【００２５】
Ｄｕａｌ Ｒａｔｅ光／電気変換部１７は、光スイッチ４５から受け入れた１Ｇｂｐｓ＋１０Ｇｂｐｓの光信号を電気信号に変換し、１Ｇｂｐｓの電気信号と１０Ｇｂｐｓの電気信号とに分離し、１Ｇｂｐｓの電気信号を１Ｇ受信処理部１５へ、１０Ｇｂｐｓの電気信号を１０Ｇ受信処理部１６へ、それぞれ送出する部分である。通常フォトダイオードなどが用いられる。
【００２６】
１Ｇ受信処理部１５は、Ｄｕａｌ Ｒａｔｅ光／電気変換部１７から電気信号に変換された１Ｇｂｐｓのフレームを受け入れて、所定の順番に蓄積し、所定の受信処理を実行して１ＧＳＥＬ３５を介してネットワークへ送出する部分である。
【００２７】
１０Ｇ受信処理部１６は、Ｄｕａｌ Ｒａｔｅ光／電気変換部１７から電気信号に変換された１０Ｇｂｐｓのフレームを受け入れて、所定の順番に蓄積し、所定の受信処理を実行して１０ＧＳＥＬ３３を介してネットワークへ送出する部分である。
【００２８】
更に、現用部１０は、その内部に、部内の警報監視及び制御部１８を備え、現用系の信号処理ブロック内の各部分を監視し、異常を検出するとその内容を装置内警報監視及び制御部３０へ通知する部分でもある。
【００２９】
予備部２０は、その内部に、１Ｇ送信処理部２１と、１Ｇ電気／光変換部２２と、１０Ｇ送信処理部２３と、１０Ｇ電気／光変換部２４とを有し、図示しないネットワークから分配選択部３１を介して受け入れた１Ｇｂｐｓ、及び１０Ｇｂｐｓの電気信号を受け入れて光信号に変換し、光路切替部４１、光分岐カプラ１５０を介して光加入者回線端末装置ＯＮＵ（＃１〜＃Ｎ）へ下り信号を送信する予備系の信号処理ブロックである。
【００３０】
ここで１Ｇ送信処理部２１は、図示しないネットワークから分配選択部３１を介して受け入れた１Ｇｂｐｓの電気信号フレームに所定の識別子を付与し、所定の送信処理を実行して１Ｇ電気／光変換部２２へ送出する部分である。ここで、識別子には、フレームの宛先となるＬＬＩＤ値等が含まれている。
【００３１】
１Ｇ電気／光変換部２２は、１Ｇ送信処理部２１から１Ｇｂｐｓの電気信号フレームを受け入れて光信号に変換し、光ＳＥＬ１・４２へ送出する光電変換素子である。通常レーザダイオード又はＬＥＤ等が用いられる。
【００３２】
１０Ｇ送信処理部２３は、図示しないネットワークから分配選択部３１を介して受け入れた１０Ｇｂｐｓの電気信号フレームに所定の識別子を付与し、所定の送信処理を実行して１０Ｇ電気／光変換部２４へ送出する部分である。ここで、識別子には、フレームの宛先となるＬＬＩＤ値等が含まれている。
【００３３】
１０Ｇ電気／光変換部２４は、１０Ｇ送信処理部２３から１０Ｇｂｐｓの電気信号フレームを受け入れて光信号に変換し、光ＳＥＬ２・４３へ送出する光電変換素子である。通常レーザダイオード又はＬＥＤ等が用いられる。
【００３４】
また、予備部２０は、その内部に、１Ｇ受信処理部２５と、１０Ｇ受信処理部２６と、Ｄｕａｌ Ｒａｔｅ光／電気変換部２７とを有し、光加入者回線端末装置ＯＮＵ（＃１〜＃Ｎ）から光分岐カプラ１５０、及び光路切替部４１を介して受け入れた上り光信号を電気信号へ変換し、所定の受信処理を実行して分配選択部３１を介して図示しないネットワークへ送出する現用系の信号処理ブロックである。
【００３５】
Ｄｕａｌ Ｒａｔｅ光／電気変換部２７は、光スイッチ４５から受け入れた１Ｇｂｐｓ＋１０Ｇｂｐｓの光信号を電気信号に変換し、１Ｇｂｐｓの電気信号と１０Ｇｂｐｓの電気信号とに分離し、１Ｇｂｐｓの電気信号を１Ｇ受信処理部２５へ、１０Ｇｂｐｓの電気信号を１０Ｇ受信処理部２６へ、それぞれ送出する部分である。通常フォトダイオードなどが用いられる。
【００３６】
１Ｇ受信処理部２５は、Ｄｕａｌ Ｒａｔｅ光／電気変換部２７から電気信号に変換された１Ｇｂｐｓのフレームを受け入れて、所定の順番に蓄積し、所定の受信処理を実行して１ＧＳＥＬ３５を介してネットワークへ送出する部分である。
【００３７】
１０Ｇ受信処理部２６は、Ｄｕａｌ Ｒａｔｅ光／電気変換部２７から電気信号に変換された１０Ｇｂｐｓのフレームを受け入れて、所定の順番に蓄積し、所定の受信処理を実行して１０ＧＳＥＬ３３を介してネットワークへ送出する部分である。
【００３８】
更に、予備部２０は、その内部に、部内の警報監視及び制御部２８を備え、現用系の信号処理ブロック内の各部分を監視し、異常を検出するとその内容を装置内警報監視及び制御部３０へ通知する部分でもある。
【００３９】
装置内警報監視及び制御部３０は、部内の警報監視及び制御部１８、及び部内の警報監視及び制御部２８から局回線終端装置ＯＬＴ＃１００が備える各部分の監視結果に基づく異常通知を受け入れると、該異常通知の内容に応じて現用予備切替信号Ｓ１を生成し分配選択部３１、及び光路切替部４１へ送出して現用部１０と予備部２０との光路切替えを実行する部分である。
【００４０】
分配選択部３１は、その内部に１０Ｇ分配部３２と、１０ＧＳＥＬ３３と、１Ｇ分配部３４と、１ＧＳＥＬ３５とを有し、図示しないネットワークと局回線終端装置ＯＬＴ＃１００との間に配設され、装置内警報監視及び制御部３０の制御に基づいて現用部１０と予備部２０との電気信号路切替えを実行する部分である。
【００４１】
ここで、１Ｇ分配部３４は、図示しないネットワークから１Ｇｂｐｓの電気信号を受け入れて現用部１０の１Ｇ送信処理部１１と、予備部２０の１Ｇ送信処理部２１とに分配して送出する信号分配器である。１ＧＳＥＬ３５は、現用部１０の１Ｇ受信処理部１５、及び、予備部２０の１Ｇ受信処理部２５の一方から電気信号を受け入れて図示しないネットワークへ送出する切替えスイッチである。
【００４２】
同様に、１０Ｇ分配部３２は、図示しないネットワークから１０Ｇｂｐｓの電気信号を受け入れて現用部１０の１０Ｇ送信処理部１３と、予備部２０の１０Ｇ送信処理部２３とに分配して送出する信号分配器である。１０ＧＳＥＬ３３は、現用部１０の１０Ｇ受信処理部１６、及び、予備部２０の１０Ｇ受信処理部２６の一方から電気信号を受け入れて図示しないネットワークへ送出する切替えスイッチである。
【００４３】
光路切替部４１は、その内部に光ＳＥＬ１・４２と光ＳＥＬ２・４３と、光多重分離部４４と、光スイッチ４５とを有し、現用部１０又は予備部２０と、光分岐カプラ１５０との間に配設され、装置内警報監視及び制御部３０の制御に基づいて現用部１０と予備部２０との光路切替えを実行する部分である。
【００４４】
ここで光ＳＥＬ１・４２は、現用部１０の１Ｇ電気／光変換部１２、及び予備部２０の１Ｇ電気／光変換部２２と接続し、装置内警報監視及び制御部３０の制御に基づいて、何れか一方から光波長λ１の光信号を受け入れて光多重分離部４４へ送出する部分である。通常光スイッチを用いて構成される。
【００４５】
同様に光ＳＥＬ２・４３は、現用部１０の１０Ｇ電気／光変換部１４、及び予備部２０の１０Ｇ電気／光変換部２４と接続し、装置内警報監視及び制御部３０の制御に基づいて、何れか一方から光波長λ４の光信号を受け入れて光多重分離部４４へ送出する部分である。通常光スイッチを用いて構成される。
【００４６】
光多重分離部４４は、光ＳＥＬ１・４２から受け入れる光波長λ１の光信号と光ＳＥＬ２・４３から受け入れる光波長λ４の光信号とを光多重して下り光信号として光分岐カプラ１５０へ送出するとともに、光加入者回線端末装置ＯＮＵ（＃１〜＃Ｎ）から光分岐カプラ１５０を介して受け入れて光スイッチ４５へ送出する上り光信号とを同一ポートから入出力させる波長合分波フィルタである。通常は誘電体多層膜フィルタが用いられる。ここで下り光信号と上り光信号とは光波長が異なる。下り光信号の光波長はλ１、及びλ４であり、上り光信号の光波長はλ２である。
【００４７】
光分岐カプラ１５０は、局回線終端装置ＯＬＴ＃１００から光ファイバ＃０を介して下り光信号を受け入れて、Ｎ本の光ファイバ（＃１〜＃Ｎ）に分岐し、該光ファイバ（＃１〜＃Ｎ）のそれぞれが接続されている光加入者回線端末装置ＯＮＵ（＃１〜＃Ｎ）へ送出すると共に、光ファイバ（＃１〜＃Ｎ）のそれぞれが接続する光加入者回線端末装置ＯＮＵ（＃１〜＃Ｎ）から上り光信号を受け入れて合波し、光ファイバ＃０を介して局回線終端装置ＯＬＴ＃１００へ送出する光部品である。通常、光導波路型や、光ファイバ加熱溶融型の光分岐結合器が用いられる。
【００４８】
尚、上記構成では、現用部１０と、予備部２０と、光路切替部４１とは、それぞれ別ブロックとして構成されている。しかし、本発明はこの構成に限定されるものではない。即ち、実施例１の変形例として光路切替部４１と予備部２０とを同一ブロックとして構成しても良いし、または光路切替部４１と現用部１０とを同一ブロックとして構成しても良い。
【００４９】
光加入者回線端末装置ＯＮＵ（＃１〜＃Ｎ）のそれぞれは、１本の光ファイバ（光ファイバ（＃１〜＃Ｎ）の内の１本）を介して光分岐カプラ１５０と接続し、さらに、自己を特定する＃１〜＃Ｎに対応する１個の加入者端末装置＃１〜＃Ｎと接続する機器である。
【００５０】
図に示すように、この光加入者回線端末装置ＯＮＵ（＃１〜＃Ｎ）には、１例として１Ｇ−ＥＰＯＮ対応の光加入者回線端末装置ＯＮＵ＃１、＃２と、１０Ｇ−ＥＰＯＮ対応の光加入者回線端末装置ＯＮＵ＃Ｎ１とが光分岐カプラ１５０に光ファイバ（♯１〜♯Ｎ）を介して接続されている。
【００５１】
１Ｇ−ＥＰＯＮ対応の光加入者回線端末装置ＯＮＵ＃１、＃２は、その内部に光多重分離部５１と、１Ｇ光電気変換部５２と、１Ｇ受信処理部５３と、１Ｇ送信処理部５４と、１Ｇ電気／光変換部５５とを有する。
【００５２】
光多重分離部５１は、１Ｇ電気／光変換部５５から受け入れて光分岐カプラ１５０へ送出する上り光信号と、光分岐カプラ１５０から受け入れて１Ｇ光電気変換部５２へ送出する下り光信号とを同一ポートから入出力させる波長合分波フィルタである。通常は誘電体多層膜フィルタが用いられる。ここで下り光信号と上り光信号とは光波長が異なる。下り光信号は光波長λ１であり、上り光信号は光波長λ２である。
【００５３】
１Ｇ光電気変換部５２は、光多重分離部５１から受け入れた光波長λ１の光信号を電気信号に変換して１Ｇ受信処理部５３へ送出する部分である。１Ｇ受信処理部５３は、１Ｇ光電気変換部５２から受け入れた１Ｇｂｐｓの電気信号に所定の受信処理を実行して加入者端末装置♯１へ送出する部分である。この受信処理には自己のＬＬＩＤ値に対応するフレームの抽出処理が含まれている。
【００５４】
１Ｇ送信処理部５４は、加入者端末装置♯１から受け入れた電気信号に所定の送信処理を実行して１Ｇ電気／光変換部５５へ１Ｇｂｐｓの電気信号フレームとして送出する部分である。この送信処理には、自己のＬＬＩＤ値の付与、及び送信タイミングの調整が含まれている。１Ｇ電気／光変換部５５は、１Ｇ送信処理部５４から１Ｇｂｐｓの電気信号フレームを受け入れて波長λ２の光信号に変換して光多重分離部５１へ送出する部分である。
【００５５】
同様にして、１０Ｇ−ＥＰＯＮ対応の光加入者回線端末装置ＯＮＵ＃Ｎは、その内部に光多重分離部６１と、１０Ｇ光電気変換部６２と、１０Ｇ受信処理部６３と、１０Ｇ送信処理部６４と、１０Ｇ電気／光変換部６５とを有する。
【００５６】
光多重分離部６１は、１０Ｇ電気／光変換部６５から受け入れて光分岐カプラ１５０へ送出する上り光信号と、光分岐カプラ１５０から受け入れて１０Ｇ光電気変換部６２へ送出する下り光信号とを同一ポートから入出力させる波長合分波フィルタである。通常は誘電体多層膜フィルタが用いられる。ここで下り光信号と上り出力光信号とは光波長が異なる。下り光信号の光波長はλ４であり、上り光信号の光波長はλ２である。
【００５７】
１０Ｇ光電気変換部６２は、光多重分離部６１から受け入れた光波長λ４の光信号を電気信号に変換して１０Ｇ受信処理部６３へ送出する部分である。１０Ｇ受信処理部６３は、１０Ｇ光電気変換部６２から受け入れた１０Ｇｂｐｓの電気信号に所定の受信処理を実行して加入者端末装置♯Ｎへ送出する部分である。この受信処理には自己のＬＬＩＤ値に対応するフレームの抽出処理が含まれている。
【００５８】
１０Ｇ送信処理部６４は、加入者端末装置♯Ｎから受け入れた電気信号に所定の送信処理を実行して１０Ｇ電気／光変換部６５へ１０Ｇｂｐｓの電気信号フレームとして送出する部分である。この送信処理には、自己のＬＬＩＤ値の付与、及び送信タイミングの調整が含まれている。１０Ｇ電気／光変換部６５は、１０Ｇ送信処理部６４から１０Ｇｂｐｓの電気信号フレームを受け入れて光波長λ２の光信号に変換して光多重分離部６１へ送出する部分である。
【００５９】
（動作）の説明
以上説明した実施例１のＧＥ−ＰＯＮシステムは以下のように動作する。
最初に実施例１のＧＥ−ＰＯＮシステムの正常稼動状態における動作について説明し、続いて事故発生に対応する動作について説明する。
【００６０】
実施例１のＧＥ−ＰＯＮシステムの正常稼動状態では図１に示すように、光路切替部４１は、装置内警報監視及び制御部３０の制御に基づいて、光波長λ２の上り光信号Ｓ２を、光加入者回線端末装置ＯＮＵ（＃１〜＃Ｎ）から光分岐カプラ１５０を介して受け入れて現用部１０へ送出している。この状態では、図１に示す１Ｇｂｐｓ＋１０Ｇｂｐｓの混在バースト信号が上り光信号Ｓ２となって、光路切替部４１から現用部１０へ送出され、該現用部１０により、１Ｇｂｐｓの電気信号フレームと１０Ｇｂｐｓの電気信号フレームとに分離され分配選択部３１を介して図示しないネットワークへ送出される。
【００６１】
また、現用部１０は、分配選択部３１を介して図示しないネットワークから１Ｇｂｐｓ、及び１０Ｇｂｐｓの電気信号を受け入れて、１Ｇｂｐｓの電気信号を光波長λ１の下り光信号Ｓ３に、１０Ｇｂｐｓの電気信号を光波長λ４の下り光信号Ｓ４に、それぞれ変換して光路切替部４１へ送出する。光路切替部４１は、光波長λ１の下り光信号Ｓ３と光波長λ４の下り光信号Ｓ４とを多重化し、光分岐カプラ１５０を介して光加入者回線端末装置ＯＮＵ（＃１〜＃Ｎ）へ送信する。光加入者回線端末装置ＯＮＵ♯１、又は光加入者回線端末装置ＯＮＵ♯２は下り光信号Ｓ３を受信し、光加入者回線端末装置ＯＮＵ♯Ｎは光波長λ４の下り光信号Ｓ４を受信し、電気信号に変換し、それぞれに接続する加入者端末装置（♯１〜♯Ｎ）へ送出する。以上で正常稼動状態における動作の説明を終了し、続いて事故発生に対応する動作について説明する。
【００６２】
図２は、実施例１のＧＥ−ＰＯＮシステムの動作説明図（その１）である。
この図は、実施例１のＧＥ−ＰＯＮシステムの正常稼動状態に於いて、現用部１０の１Ｇ電気／光変換部１２に故障発生したときの対応動作を説明するための図である。以下に故障時の対応動作を３段階に分けて説明する。
【００６３】
ステップＳ１−１
部内の警報監視及び制御部１８は、現用部１０の１Ｇ電気／光変換部１２における故障を検出すると、その内容を装置内警報監視及び制御部３０へ通知する。
【００６４】
ステップＳ１−２
装置内警報監視及び制御部３０は、現用予備切替信号Ｓ１を生成して光ＳＥＬ１・４２へ送出する。
【００６５】
ステップＳ１−３
光ＳＥＬ１・４２は、現用予備切替信号Ｓ１を受け入れると光波長λ１の光路を現用部１０の１Ｇ電気／光変換部１２から予備部２０の１Ｇ電気／光変換部２２へ切替えて処理を終了する。
【００６６】
上記切替処理中に光ＳＥＬ２・４３や光スイッチ４５は、装置内警報監視及び制御部３０から現用予備切替信号Ｓ１を受け入れていないので、光波長λ２の上り光信号、及び光波長λ４の下り信号は、上記切替処理の影響を全く受けることが無い。
【００６７】
図３は、実施例１のＧＥ−ＰＯＮシステムの動作説明図（その２）である。
この図は、実施例１のＧＥ−ＰＯＮシステムの正常稼動状態に於いて、現用部１０の１０Ｇ送信処理部１３に故障発生したときの対応動作を説明するための図である。以下に故障時の対応動作を３段階に分けて説明する。
【００６８】
ステップＳ２−１
部内の警報監視及び制御部１８は、現用部１０の１０Ｇ送信処理部１３における故障を検出すると、その内容を装置内警報監視及び制御部３０へ通知する。
【００６９】
ステップＳ２−２
装置内警報監視及び制御部３０は、現用予備切替信号Ｓ１を生成して光ＳＥＬ２・４３へ送出する。
【００７０】
ステップＳ２−３
光ＳＥＬ２・４３は、現用予備切替信号Ｓ１を受け入れると光波長λ４の光路を現用部１０の１０Ｇ送信処理部１３から予備部２０の１０Ｇ送信処理部２３へ切替えて処理を終了する。
【００７１】
上記切替処理中に光ＳＥＬ１・４２や光スイッチ４５は、装置内警報監視及び制御部３０から現用予備切替信号Ｓ１を受け入れていないので、光波長λ２の上り光信号、及び光波長λ１の下り信号は、上記切替処理の影響を全く受けることが無い。
【００７２】
図４は、実施例１のＧＥ−ＰＯＮシステムの動作説明図（その３）である。
この図は、実施例１のＧＥ−ＰＯＮシステムの正常稼動状態に於いて、現用部１０のＤｕａｌ Ｒａｔｅ光／電気変換部１７に故障発生したときの対応動作を説明するための図である。以下に故障時の対応動作を３段階に分けて説明する。
【００７３】
ステップＳ３−１
部内の警報監視及び制御部１８は、現用部１０のＤｕａｌ Ｒａｔｅ光／電気変換部１７における故障を検出すると、その内容を装置内警報監視及び制御部３０へ通知する。
【００７４】
ステップＳ３−２
装置内警報監視及び制御部３０は、現用予備切替信号Ｓ１を生成して光スイッチ４５へ送出する。同時に１Ｇ切替信号Ｓ６と、１０Ｇ切替信号Ｓ７とを生成し、１Ｇ切替信号Ｓ６を分配選択部３１の１ＧＳＥＬ３５へ、１０Ｇ切替信号Ｓ７を分配選択部３１の１０ＧＳＥＬ３３へそれぞれ送出する。
【００７５】
ステップＳ３−３
光スイッチ４５は、現用予備切替信号Ｓ１を受け入れると接続を２−１から２−３へ切替えて光波長λ２の光路を現用部１０のＤｕａｌ Ｒａｔｅ光／電気変換部１７から予備部２０のＤｕａｌ Ｒａｔｅ光／電気変換部２７へ切替えて処理を終了する。
【００７６】
上記切替処理中に光ＳＥＬ１・４２や光ＳＥＬ２・４３は、装置内警報監視及び制御部３０から現用予備切替信号Ｓ１を受け入れていないので、光波長λ１の下り光信号、及び光波長λ４の下り信号は、上記切替処理の影響を全く受けることが無い。
【００７７】
（効果）の説明
以上説明したように、本実施例では、光波長λ１の光信号に対しては光ＳＥＬ１・４２、光波長λ４の光信号に対しては光ＳＥＬ２・４３、光波長λ２の光信号に対しては光スイッチ４５を用いて、各光波長毎に光路切替えを行うことが出来るようにしたので、現用部１０と予備部２０との光路切替えが故障箇所以外の光波長の信号に悪影響を与えることなく実行できるという効果を得る。
【実施例２】
【００７８】
図５は、実施例２のＧＥ−ＰＯＮシステムのシステム構成図である。
図に示すように、実施例２によるＧＥ−ＰＯＮシステムは、図示しないＯＬＴ設置局の内部に配設される局回線終端装置ＯＬＴ＃２００が、１対Ｎ分岐の光分岐カプラ１５０の集約ポートに光ファイバ＃０を介して接続され、光分岐カプラ１５０の分岐ポートと光加入者回線端末装置ＯＮＵ（＃１〜＃Ｎ）とが、光ファイバ（＃１〜＃Ｎ）を介して接続され、ネットワーク（例えばイーサネット（登録商標））と加入者端末装置＃１〜＃Ｎとが時分割多重方式でデータの送受信を行う光通信システムである。以下に実施例１と相違する部分のみについて詳細に説明する。実施例１と同様の部分については実施例１と同一の符号を付して説明を省略する。
【００７９】
局回線終端装置ＯＬＴ＃２００は、その内部に現用部７０と、予備部８０と、装置内警報監視及び制御部３０と、分配選択部３１とを備え、図示しないネットワーク及び光ファイバ＃０と接続し、ネットワークから１Ｇｂｐｓ、及び１０Ｇｂｐｓの電気信号を受け入れて光信号に変換して多重化し、光ファイバ＃０を介して光分岐カプラ１５０へ送出すると共に、光ファイバ＃０を介して光分岐カプラ１５０から１Ｇｂｐｓ＋１０Ｇｂｐｓの光信号を受け入れて電気信号に変換し、１Ｇｂｐｓの電気信号と、１０Ｇｂｐｓの電気信号とに分離してネットワークへ送出する機器である。又、回線故障が検出されると、該当する故障箇所を探索し、回線故障時に現用回線を予備回線に切替えて応急処置を実行する機器でもある。以下に、上記各構成部分について実施例１との相違点を主にして詳細に説明する。
【００８０】
現用部７０と、実施例１の現用部１０（図１）との相違点は、実施例１では、図１に示すように１Ｇ電気／光変換部１２の出力は光ＳＥＬ１・４２と、１０Ｇ電気／光変換部１４の出力は光ＳＥＬ２・４３と、Ｄｕａｌ Ｒａｔｅ光／電気変換部１７の入力は光スイッチ４５の出力と、それぞれ図示しない光コネクタなどを介して接続されていた。
【００８１】
これに対して本実施例では、１Ｇ電気／光変換部１２の出力、１０Ｇ電気／光変換部１４の出力、及びＤｕａｌ Ｒａｔｅ光／電気変換部１７の入力は、現用部７０が有する光多重分離部７１（本実施例で新たに追加された構成部分）を介して、予備部８０が有する光多重分離部８１（本実施例で新たに追加された構成部分）の光分岐ポートと接続されている点が異なる。
【００８２】
予備部８０と、実施例１の予備部２０（図１）との相違点は、予備部８０は予備部２０と光路切替部４１とが一体化され（実施例１の変形例と同じ）、更に、光多重分離部８１を有している。この光多重分離部８１は、その光多重ポートが現用部７０が有する光多重分離部７１の光多重ポートと図示しない光コネクタなどを介して接続され、光分岐ポートは、光ＳＥＬ１・４２の入力ポート、光ＳＥＬ２・４３の入力ポート、及び光スイッチ４５の出力ポートと、それぞれ接続されている。その他の部分は全て実施例１と同様なので説明を省略する。
【００８３】
本実施例では、上記構成を採用することによって、回線故障が検出され、該当する故障箇所が探索され、回線故障時に現用回線を予備回線に切替えて応急処置を実行した後、現用部７０を新規基板に交換する必要が発生した場合に於いて、基板交換に要する作業時間を短縮化できるという効果を得る。即ち、かかる場合に実施例１によれば、光路を３本（光波長λ１の光路、光波長λ２の光路、及び光波長λ４の光路）をそれぞれ接続する必要があるが、本実施例によれば、光波長λ１、λ２、及びλ４が多重化された１本の光路を接続するのみでよいからである。
【産業上の利用可能性】
【００８４】
実施例の説明では、局回線終端装置ＯＬＴが接続するネットワークをイーサネット（登録商標）に限定して説明したが、本発明はこの例に限定されるものではない。即ち、インターネット網への接続も可能であり、更には、将来インタオペラビリティの確保も可能になってくる。
【符号の説明】
【００８５】
１０    現用部
１１    １Ｇ送信処理部
１２    １Ｇ電気／光変換部
１３    １０Ｇ送信処理部
１４    １０Ｇ電気／光変換部
１５    １Ｇ受信処理部
１６    １０Ｇ受信処理部
１７    Ｄｕａｌ Ｒａｔｅ光／電気変換部
１８    部内の警報監視及び制御部
２０    予備部
２１    １Ｇ送信処理部
２２    １Ｇ電気／光変換部
２３    １０Ｇ送信処理部
２４    １０Ｇ電気／光変換部
２５    １Ｇ受信処理部
２６    １０Ｇ受信処理部
２７    Ｄｕａｌ Ｒａｔｅ光／電気変換部
２８    部内の警報監視及び制御部
３０    装置内警報監視及び制御部
３１    分配選択部
３２    １０Ｇ分配部
３３    １０ＧＳＥＬ
３４    １Ｇ分配部
３５    １ＧＳＥＬ
４１    光路切替部
４２    光ＳＥＬ１
４３    光ＳＥＬ２
４４    光多重分離部
４５    光スイッチ
５１    光多重分離部
５２    １Ｇ光電気変換部
５３    １Ｇ受信処理部
５４    １Ｇ送信処理部
５５    １Ｇ電気／光変換部
６１    光多重分離部
６２    １０Ｇ光電気変換部
６３    １０Ｇ受信処理部
６４    １０Ｇ送信処理部
６５    １０Ｇ電気／光変換部
１５０    光分岐カプラ
【図１】
0005365721.tif 000002
【図２】
0005365721.tif 000003
【図３】
0005365721.tif 000004
【図４】
0005365721.tif 000005
【図５】
0005365721.tif 000006
【図６】
0005365721.tif 000007